(57)【要約】  ＵＥと通信する際に使用するために利用可能な仮想セルＩＤのシグナリング・セットは、他のＵＥのための同様のダウンリンクチャネルが同じ物理リソースブロック（ＰＲＢ）内で多重化されるとき、ＵＥがそれ自体のダウンリンクチャネル（例えば、ｅＰＤＣＣＨ、ＰＤＳＣＨ、ＰＤＣＣＨ）の処理を向上させることを可能にし得る。ブラインド復号又はブラインド検出は、ＰＲＢ内の送信を検出るために仮想セルＩＤのサブセットを用いて実行される。
2015525524.tif 000002
【特許請求の範囲】
【請求項１】
ユーザ機器（ＵＥ）によるワイヤレス通信のための方法であって、
１つまたは複数の他のＵＥが使用するために利用可能な仮想セルＩＤのサブセットを判断することと、前記サブセットが仮想セルＩＤのより大きいセットから選択される、
他のＵＥを対象とする物理リソースブロック（ＰＲＢ）内の送信を検出するために、ブラインド検出またはブラインド復号のうちの少なくとも１つを実行するために仮想セルＩＤの前記サブセットを使用することと、
前記ＰＲＢ中で前記ＵＥに送信された少なくとも１つのダウンリンクチャネルの処理を向上させるために前記ブラインド検出または前記ブラインド復号の結果を使用することと
を備える、方法。
【請求項２】
前記ＰＲＢ中で前記ＵＥに送信された少なくとも１つのダウンリンクチャネルの処理を向上させるために前記ブラインド検出または前記ブラインド復号の結果を使用することが、前記少なくとも１つのダウンリンクチャネルを処理するときに雑音推定を実行するために前記結果を使用することを備える、請求項１に記載の方法。
【請求項３】
前記ＰＲＢ中で前記ＵＥに送信された少なくとも１つのダウンリンクチャネルの処理を向上させるために前記ブラインド検出または前記ブラインド復号の結果を使用することが、
前記他のＵＥのうちの１つまたは複数を対象とする１つまたは複数のダウンリンクチャネルから干渉を消去するために前記結果を使用すること
を備える、請求項１に記載の方法。
【請求項４】
前記ダウンリンクチャネルが物理ダウンリンク共有チャネル（ＰＤＳＣＨ）を備える、請求項１に記載の方法。
【請求項５】
前記ダウンリンクチャネルが物理ダウンリンク制御チャネル（ＰＤＣＣＨ）を備える、請求項１に記載の方法。
【請求項６】
前記ダウンリンクチャネルが、前記ＰＲＢの小部分のみを占有する拡張ＰＤＣＣＨ（ｅＰＤＣＣＨ）を備え、
複数のＵＥのための複数のｅＰＤＣＣＨが前記ＰＲＢ中で多重化される、請求項５に記載の方法。
【請求項７】
仮想セルＩＤの前記サブセットに基づいて復調基準信号（ＤＭ−ＲＳ）シーケンスを生成することと、
前記ＰＲＢ中の対応するＤＭ−ＲＳシーケンスを検出するために前記ブラインド検出または前記ブラインド復号を実行することと
をさらに備える、請求項１に記載の方法。
【請求項８】
仮想セルＩＤの前記使用が可能にされるか否かを示すシグナリングを受信すること
をさらに備える、請求項１に記載の方法。
【請求項９】
仮想セルＩＤのサブセットを判断することは、
前記ＵＥと前記他のＵＥとが使用し得る仮想セルＩＤの１つまたは複数のセットのブロードキャストを受信すること
を備える、請求項１に記載の方法。
【請求項１０】
仮想ＩＤの前記１つまたは複数のセットが、
物理ダウンリンク共有チャネル（ＰＤＳＣＨ）を送信する際に使用する第１のセットと、
物理ダウンリンク制御チャネル（ＰＤＣＣＨ）を送信する際に使用する第２のセットと
を備える、請求項１に記載の方法。
【請求項１１】
仮想セルＩＤのサブセットを判断することが、
物理セルＩＤに基づいて前記サブセット中の仮想ＩＤを導出すること
を備える、請求項１に記載の方法。
【請求項１２】
ブラインド検出またはブラインド復号のうちの少なくとも１つを実行するために仮想セルＩＤの前記サブセットを使用することが、チャネル状態情報基準信号（ＣＳＩ−ＲＳ）を検出するために仮想セルＩＤの前記サブセットを使用することを備える、請求項１に記載の方法。
【請求項１３】
基地局によるワイヤレス通信のための方法であって、
１つまたは複数のＵＥが使用するために利用可能な仮想セルＩＤのサブセットをシグナリングすることと、前記サブセットが仮想セルＩＤのより大きいセットから選択される、
前記サブセットから選択された仮想ＩＤを用いて１つまたは複数の個々のＵＥを構成することと、
前記選択された仮想ＩＤを使用して、同じ物理リソースブロック（ＰＲＢ）中の複数のＵＥのためのダウンリンクチャネルを多重化することと
を備える、方法。
【請求項１４】
前記ダウンリンクチャネルが物理ダウンリンク共有チャネル（ＰＤＳＣＨ）を備える、請求項１３に記載の方法。
【請求項１５】
前記ダウンリンクチャネルが物理ダウンリンク制御チャネル（ＰＤＣＣＨ）を備える、請求項１３に記載の方法。
【請求項１６】
前記ダウンリンクチャネルは、各々が前記ＰＲＢの小部分のみを占有する拡張ＰＤＣＣＨ（ｅＰＤＣＣＨ）を備える、請求項１４に記載の方法。
【請求項１７】
前記選択された仮想セルＩＤに基づいて復調基準信号（ＤＭ−ＲＳ）シーケンスを生成することと、
前記ダウンリンクチャネルとともに前記ＤＭ−ＲＳシーケンスを送信することと
をさらに備える、請求項１３に記載の方法。
【請求項１８】
仮想セルＩＤの前記使用が可能にされるか否かを示すシグナリングを送信すること
をさらに備える、請求項１３に記載の方法。
【請求項１９】
前記シグナリングすることが、
仮想セルＩＤのサブセットをブロードキャストすること
を備える、請求項１３に記載の方法。
【請求項２０】
仮想ＩＤの１つまたは複数のセットが、
物理ダウンリンク共有チャネル（ＰＤＳＣＨ）を送信する際に使用する第１のセットと、
物理ダウンリンク制御チャネル（ＰＤＣＣＨ）を送信する際に使用する第２のセットと
を備える、請求項１９に記載の方法。
【請求項２１】
物理セルＩＤに基づいて前記サブセット中の仮想ＩＤを導出すること
をさらに備える、請求項１３に記載の方法。
【請求項２２】
仮想セルＩＤの前記サブセットは、異なるセル中のＵＥが使用するために利用可能な仮想セルＩＤを備える、請求項２１に記載の方法。
【請求項２３】
前記選択された仮想ＩＤを使用してチャネル状態情報基準信号（ＣＳＩ−ＲＳ）を送信することをさらに備える、請求項１３に記載の方法。
【請求項２４】
前記同じＰＲＢ中の異なるＵＥのための送信が、共通仮想セルＩＤまたは仮想セルＩＤの共通セットからの仮想セルＩＤのうちの少なくとも１つを使用する、請求項１３に記載の方法。
【請求項２５】
仮想セルＩＤに関する情報を他の基地局と交換することと、
交換された前記情報に基づいて仮想セルＩＤの使用を調整することと
をさらに備える、請求項１３に記載の方法。
【請求項２６】
ユーザ機器（ＵＥ）によるワイヤレス通信のための装置であって、
１つまたは複数の他のＵＥが使用するために利用可能な仮想セルＩＤのサブセットを判断するための手段と、前記サブセットが仮想セルＩＤのより大きいセットから選択される、
他のＵＥを対象とする物理リソースブロック（ＰＲＢ）内の送信を検出するために、ブラインド検出またはブラインド復号のうちの少なくとも１つを実行するために仮想セルＩＤの前記サブセットを使用するための手段と、
前記ＰＲＢ中で前記ＵＥに送信された少なくとも１つのダウンリンクチャネルの処理を向上させるために前記ブラインド検出または前記ブラインド復号の結果を使用するための手段と
を備える、装置。
【請求項２７】
前記ＰＲＢ中で前記ＵＥに送信された少なくとも１つのダウンリンクチャネルの処理を向上させるために前記ブラインド検出または前記ブラインド復号の結果を使用するための前記手段が、前記少なくとも１つのダウンリンクチャネルを処理するときに雑音推定を実行するために前記結果を使用するための手段を備える、請求項２６に記載の装置。
【請求項２８】
前記ＰＲＢ中で前記ＵＥに送信された少なくとも１つのダウンリンクチャネルの処理を向上させるために前記ブラインド検出または前記ブラインド復号の結果を使用するための手段が、
前記他のＵＥのうちの１つまたは複数を対象とする１つまたは複数のダウンリンクチャネルから干渉を消去するために前記結果を使用するための手段
を備える、請求項２６に記載の装置。
【請求項２９】
前記ダウンリンクチャネルが物理ダウンリンク共有チャネル（ＰＤＳＣＨ）を備える、請求項２６に記載の装置。
【請求項３０】
前記ダウンリンクチャネルが物理ダウンリンク制御チャネル（ＰＤＣＣＨ）を備える、請求項２６に記載の装置。
【請求項３１】
前記ダウンリンクチャネルが、前記ＰＲＢの小部分のみを占有する拡張ＰＤＣＣＨ（ｅＰＤＣＣＨ）を備え、
複数のＵＥのための複数のｅＰＤＣＣＨが前記ＰＲＢ中で多重化される、請求項３０に記載の装置。
【請求項３２】
仮想セルＩＤの前記サブセットに基づいて復調基準信号（ＤＭ−ＲＳ）シーケンスを生成するための手段と、
前記ＰＲＢ中の対応するＤＭ−ＲＳシーケンスを検出するために前記ブラインド検出または前記ブラインド復号を実行するための手段と
をさらに備える、請求項２６に記載の装置。
【請求項３３】
仮想セルＩＤの前記使用が可能にされるか否かを示すシグナリングを受信するための手段
をさらに備える、請求項２６に記載の装置。
【請求項３４】
仮想セルＩＤのサブセットを判断するための手段が、
前記ＵＥと前記他のＵＥとが使用し得る仮想セルＩＤの１つまたは複数のセットのブロードキャストを受信するための手段
を備える、請求項２６に記載の装置。
【請求項３５】
仮想ＩＤの前記１つまたは複数のセットが、
物理ダウンリンク共有チャネル（ＰＤＳＣＨ）を送信する際に使用する第１のセットと、
物理ダウンリンク制御チャネル（ＰＤＣＣＨ）を送信する際に使用する第２のセットと
を備える、請求項３４に記載の装置。
【請求項３６】
仮想セルＩＤのサブセットを判断するための手段が、
物理セルＩＤに基づいて前記サブセット中の仮想ＩＤを導出するための手段
を備える、請求項２６に記載の装置。
【請求項３７】
ブラインド検出またはブラインド復号のうちの少なくとも１つを実行するために仮想セルＩＤの前記サブセットを使用するための手段が、チャネル状態情報基準信号（ＣＳＩ−ＲＳ）を検出するために仮想セルＩＤの前記サブセットを使用するための手段を備える、請求項２６に記載の装置。
【請求項３８】
基地局によるワイヤレス通信のための装置であって、
１つまたは複数のＵＥが使用するために利用可能な仮想セルＩＤのサブセットをシグナリングするための手段と、前記サブセットが仮想セルＩＤのより大きいセットから選択される、
前記サブセットから選択された仮想ＩＤを用いて１つまたは複数の個々のＵＥを構成するための手段と、
前記選択された仮想ＩＤを使用して、同じ物理リソースブロック（ＰＲＢ）中の複数のＵＥのためのダウンリンクチャネルを多重化するための手段と
を備える、装置。
【請求項３９】
前記ダウンリンクチャネルが物理ダウンリンク共有チャネル（ＰＤＳＣＨ）を備える、請求項３８に記載の装置。
【請求項４０】
前記ダウンリンクチャネルが物理ダウンリンク制御チャネル（ＰＤＣＣＨ）を備える、請求項３８に記載の装置。
【請求項４１】
前記ダウンリンクチャネルは、各々が前記ＰＲＢの小部分のみを占有する拡張ＰＤＣＣＨ（ｅＰＤＣＣＨ）を備える、請求項４０に記載の装置。
【請求項４２】
前記選択された仮想セルＩＤに基づいて復調基準信号（ＤＭ−ＲＳ）シーケンスを生成するための手段と、
前記ダウンリンクチャネルとともに前記ＤＭ−ＲＳシーケンスを送信するための手段と
をさらに備える、請求項３８に記載の装置。
【請求項４３】
仮想セルＩＤの前記使用が可能にされるか否かを示すシグナリングを送信するための手段
をさらに備える、請求項３８に記載の装置。
【請求項４４】
シグナリングするための前記手段が、
仮想セルＩＤのサブセットをブロードキャストするための手段
を備える、請求項３８に記載の装置。
【請求項４５】
仮想ＩＤの１つまたは複数のセットが、
物理ダウンリンク共有チャネル（ＰＤＳＣＨ）を送信する際に使用する第１のセットと、
物理ダウンリンク制御チャネル（ＰＤＣＣＨ）を送信する際に使用する第２のセットと
を備える、請求項４４に記載の装置。
【請求項４６】
物理セルＩＤに基づいて前記サブセット中の仮想ＩＤを導出するための手段
をさらに備える、請求項３８に記載の装置。
【請求項４７】
仮想セルＩＤの前記サブセットは、異なるセル中のＵＥが使用するために利用可能な仮想セルＩＤを備える、請求項４６に記載の装置。
【請求項４８】
前記選択された仮想ＩＤを使用してチャネル状態情報基準信号（ＣＳＩ−ＲＳ）を送信するための手段をさらに備える、請求項３８に記載の装置。
【請求項４９】
前記同じＰＲＢ中の異なるＵＥのための送信が、共通仮想セルＩＤまたは仮想セルＩＤの共通セットからの仮想セルＩＤのうちの少なくとも１つを使用する、請求項３８に記載の装置。
【請求項５０】
仮想セルＩＤに関する情報を他の基地局と交換するための手段と、
交換された前記情報に基づいて仮想セルＩＤの使用を調整するための手段と
をさらに備える、請求項３８に記載の装置。
【請求項５１】
ユーザ機器（ＵＥ）によるワイヤレス通信のための装置であって、
１つまたは複数の他のＵＥが使用するために利用可能な仮想セルＩＤのサブセットを判断することと、前記サブセットが仮想セルＩＤのより大きいセットから選択される、他のＵＥを対象とする物理リソースブロック（ＰＲＢ）内の送信を検出するために、ブラインド検出またはブラインド復号のうちの少なくとも１つを実行するために仮想セルＩＤの前記サブセットを使用することと、前記ＰＲＢ中で前記ＵＥに送信された少なくとも１つのダウンリンクチャネルの処理を向上させるために前記ブラインド検出または前記ブラインド復号の結果を使用することとを行うように構成された少なくとも１つのプロセッサと、
前記少なくとも１つのプロセッサに結合されたメモリと
を備える、装置。
【請求項５２】
基地局によるワイヤレス通信のための装置であって、
１つまたは複数のＵＥが使用するために利用可能な仮想セルＩＤのサブセットをシグナリングすることと、前記サブセットが仮想セルＩＤのより大きいセットから選択される、前記サブセットから選択された仮想ＩＤを用いて１つまたは複数の個々のＵＥを構成することと、前記選択された仮想ＩＤを使用して、同じ物理リソースブロック（ＰＲＢ）中の複数のＵＥのためのダウンリンクチャネルを多重化することとを行うように構成された少なくとも１つのプロセッサと、
前記少なくとも１つのプロセッサに結合されたメモリと
を備える、装置。
【請求項５３】
ユーザ機器（ＵＥ）によるワイヤレス通信のためのコンピュータプログラム製品であって、
１つまたは複数の他のＵＥが使用するために利用可能な仮想セルＩＤのサブセットを判断することと、前記サブセットが仮想セルＩＤのより大きいセットから選択される、
他のＵＥを対象とする物理リソースブロック（ＰＲＢ）内の送信を検出するために、ブラインド検出またはブラインド復号のうちの少なくとも１つを実行するために仮想セルＩＤの前記サブセットを使用することと、
前記ＰＲＢ中で前記ＵＥに送信された少なくとも１つのダウンリンクチャネルの処理を向上させるために前記ブラインド検出または前記ブラインド復号の結果を使用することと
を行うための命令を記憶したコンピュータ可読媒体を備える、コンピュータプログラム製品。
【請求項５４】
基地局によるワイヤレス通信のためのコンピュータプログラム製品であって、
１つまたは複数のＵＥが使用するために利用可能な仮想セルＩＤのサブセットをシグナリングすることと、前記サブセットが仮想セルＩＤのより大きいセットから選択される、
前記サブセットから選択された仮想ＩＤを用いて１つまたは複数の個々のＵＥを構成することと、
前記選択された仮想ＩＤを使用して、同じ物理リソースブロック（ＰＲＢ）中の複数のＵＥのためのダウンリンクチャネルを多重化することと
を行うための命令を記憶したコンピュータ可読媒体を備える、コンピュータプログラム製品。
【発明の詳細な説明】
【技術分野】
【０００１】
米国特許法第１１９条による優先権の主張
[0001]本出願は、その全体が参照により本明細書に組み込まれる、２０１２年６月７日に出願された米国仮特許出願第６１／６５６，８９５号の利益を主張する。
【０００２】
[0002]本開示のいくつかの態様は、一般にワイヤレス通信に関し、より詳細には、ダウンリンクチャネルのＵＥ処理の向上を可能にするために、仮想セルＩＤ情報をシグナリングおよび受信するための方法に関する。
【背景技術】
【０００３】
[0003]ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ：3rd Generation Partnership Project）ロングタームエボリューション（ＬＴＥ：Long Term Evolution）／ＬＴＥアドバンストシステムおよび直交周波数分割多元接続（ＯＦＤＭＡ）システムがある。
【０００４】
[0004]概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク）は、基地局から端末への通信リンクを指し、逆方向リンク（またはアップリンク）は、端末から基地局への通信リンクを指す。この通信リンクは、単入力単出力、多入力単出力または多入力多出力（ＭＩＭＯ）システムを介して確立され得る。
【発明の概要】
【０００５】
[0005]本開示の一態様では、ユーザ機器（ＵＥ）によるワイヤレス通信のための方法が提供される。本方法は、概して、１つまたは複数の他のＵＥが使用するために利用可能な仮想セルＩＤのサブセットを判断することと、サブセットが仮想セルＩＤのより大きいセットから選択される、他のＵＥを対象とする物理リソースブロック（ＰＲＢ：physical resource block）内の送信を検出するために、ブラインド検出またはブラインド復号のうちの少なくとも１つを実行するために仮想セルＩＤのサブセットを使用することと、ＰＲＢ中でＵＥに送信された少なくとも１つのダウンリンクチャネルの処理を向上させるためにブラインド検出またはブラインド復号の結果を使用することとを含む。
【０００６】
[0006]本開示の一態様では、基地局（ＢＳ）によるワイヤレス通信のための方法が提供される。本方法は、概して、１つまたは複数のＵＥが使用するために利用可能な仮想セルＩＤのサブセットをシグナリングすることと、サブセットが仮想セルＩＤのより大きいセットから選択される、サブセットから選択された仮想ＩＤを用いて１つまたは複数の個々のＵＥを構成することと、選択された仮想ＩＤを使用して、同じ物理リソースブロック（ＰＲＢ）中の複数のＵＥのためのダウンリンクチャネルを多重化することとを含む。
【０００７】
[0007]また、いくつかの態様は、本明細書で説明する方法を実行するための様々な手段、装置、およびコンピュータプログラム製品を提供する。
【図面の簡単な説明】
【０００８】
【図１】[0008]本開示のいくつかの態様による、ワイヤレス通信ネットワークの一例を概念的に示すブロック図。
【図２】[0009]本開示のいくつかの態様による、ワイヤレス通信ネットワークにおいてユーザ機器（ＵＥ）と通信している基地局の一例を概念的に示すブロック図。
【図３】[0010]本開示のいくつかの態様による、ワイヤレス通信ネットワークにおけるフレーム構造の一例を概念的に示すブロック図。
【図４】[0011]本開示の一態様による、例示的なサブフレームを示す図。
【図５】[0012]本開示のいくつかの態様による、ＵＥによって実行された得る例示的な動作を示す図。
【図６】[0013]本開示のいくつかの態様による、基地局によって実行された得る例示的な動作を示す図。
【発明を実施するための形態】
【０００９】
[0014]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、ユニバーサル地上無線アクセス（ＵＴＲＡ：universal terrestrial radio access）、ｃｄｍａ２０００など、無線技術を実装し得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標）：global system for mobile communications）などの無線技術を実装し得る。ＯＦＤＭＡネットワークは、発展型ＵＴＲＡ（Ｅ−ＵＴＲＡ：evolved UTRA）、ウルトラモバイルブロードバンド（ＵＭＢ：ultra mobile broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：universal mobile telecommunication system）の一部である。周波数分割複信（ＦＤＤ：frequency division duplex）と時分割複信（ＴＤＤ：time division duplex）の両方における３ＧＰＰロングタームエボリューション（ＬＴＥ）およびＬＴＥアドバンスト（ＬＴＥ−Ａ：LTE-Advanced）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術のために使用され得る。明快のために、本技法のいくつかの態様について以下ではＬＴＥ／ＬＴＥアドバンストに関して説明し、以下の説明の大部分でＬＴＥ／ＬＴＥアドバンスト用語を使用する。
【００１０】
[0015]図１に、ＬＴＥネットワークまたは何らかの他のワイヤレスネットワークであり得る、ワイヤレス通信ネットワーク１００を示す。ワイヤレスネットワーク１００は、いくつかの発展型ノードＢ（ｅＮＢ）１１０と他のネットワークエンティティとを含み得る。ｅＮＢは、ユーザ機器（ＵＥ）と通信するエンティティであり、基地局、ノードＢ、アクセスポイントなどと呼ばれることもある。各ｅＮＢは、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００１１】
[0016]ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：closed subscriber group）中のＵＥ）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢ（ＨｅＮＢ）と呼ばれることがある。図１に示す例では、ｅＮＢ１１０ａがマクロセル１０２ａのためのマクロｅＮＢであり得、ｅＮＢ１１０ｂがピコセル１０２ｂのためのピコｅＮＢであり得、ｅＮＢ１１０ｃがフェムトセル１０２ｃのためのフェムトｅＮＢであり得る。ｅＮＢは、１つまたは複数の（たとえば、３つの）セルをサポートし得る。「ｅＮＢ」、「基地局」および「セル」という用語は、本明細書では互換的に使用され得る。
【００１２】
[0017]ワイヤレスネットワーク１００はまた、中継局を含み得る。中継局は、上流局（たとえば、ｅＮＢまたはＵＥ）からデータの送信を受信し、そのデータの送信を下流局（たとえば、ＵＥまたはｅＮＢ）に送ることができるエンティティである。中継局はまた、他のＵＥに対する送信を中継することができるＵＥであり得る。図１に示す例では、中継局１１０ｄは、ｅＮＢ１１０ａとＵＥ１２０ｄとの間の通信を可能にするために、マクロｅＮＢ１１０ａおよびＵＥ１２０ｄと通信し得る。中継局はまた、リレーｅＮＢ、リレー基地局、リレーなどと呼ばれることもある。
【００１３】
[0018]ワイヤレスネットワーク１００は、様々なタイプのｅＮＢ、たとえば、マクロｅＮＢ、ピコｅＮＢ、フェムトｅＮＢ、リレーｅＮＢなどを含む異種ネットワークであり得る。これらの様々なタイプのｅＮＢは、様々な送信パワーレベル、様々なカバレージエリア、およびワイヤレスネットワーク１００中の干渉に対する様々な影響を有し得る。たとえば、マクロｅＮＢは、高い送信電力レベル（たとえば、５〜４０ワット）を有し得るが、ピコｅＮＢ、フェムトｅＮＢ、およびリレーｅＮＢは、より低い送信電力レベル（たとえば、０．１〜２ワット）を有し得る。
【００１４】
[0019]ネットワークコントローラ１３０は、ｅＮＢのセットに結合し得、これらのｅＮＢの協調および制御を行い得る。ネットワークコントローラ１３０はバックホールを介してｅＮＢと通信し得る。ｅＮＢはまた、たとえば、ワイヤレスバックホールまたはワイヤラインバックホールを介して直接または間接的に互いに通信し得る。
【００１５】
[0020]ＵＥ１２０はワイヤレスネットワーク１００全体にわたって分散され得、各ＵＥは固定または移動であり得る。ＵＥは、アクセス端末、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブックなどであり得る。
【００１６】
[0021]図２に、図１中の基地局／ｅＮＢのうちの１つであり得る基地局／ｅＮＢ１１０および図１中のＵＥのうちの１つであり得るＵＥ１２０の設計のブロック図を示す。基地局１１０はＴ個のアンテナ２３４ａ〜２３４ｔを装備し得、ＵＥ１２０はＲ個のアンテナ２５２ａ〜２５２ｒを装備し得、一般にＴ≧１およびＲ≧１である。
【００１７】
[0022]基地局１１０において、送信プロセッサ２２０が、１つまたは複数のＵＥについてデータソース２１２からデータを受信し、ＵＥから受信されたＣＱＩに基づいて各ＵＥのための１つまたは複数の変調およびコーディング方式（ＭＣＳ：modulation and coding scheme）を選択し、そのＵＥのために選択された（１つまたは複数の）ＭＣＳに基づいて各ＵＥのためのデータを処理（たとえば、符号化および変調）し、すべてのＵＥについてデータシンボルを与え得る。送信プロセッサ２２０はまた、（たとえば、ＳＲＰＩなどのための）システム情報および制御情報（たとえば、ＣＱＩ要求、許可、上位レイヤシグナリングなど）を処理し、オーバーヘッドシンボルおよび制御シンボルを与え得る。プロセッサ２２０はまた、基準信号（たとえば、ＣＲＳ）および同期信号（たとえば、ＰＳＳおよびＳＳＳ）のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実行し得、Ｔ個の出力シンボルストリームをＴ個の変調器（ＭＯＤ）２３２ａ〜２３２ｔに与え得る。各変調器２３２は、（たとえば、ＯＦＤＭなどのために）それぞれの出力シンボルストリームを処理して、出力サンプルストリームを取得し得る。各変調器２３２はさらに、出力サンプルストリームを処理（たとえば、アナログへの変換、増幅、フィルタ処理、およびアップコンバート）して、ダウンリンク信号を取得し得る。変調器２３２ａ〜２３２ｔからのＴ個のダウンリンク信号は、それぞれＴ個のアンテナ２３４ａ〜２３４ｔを介して送信され得る。
【００１８】
[0023]ＵＥ１２０において、アンテナ２５２ａ〜２５２ｒが、基地局１１０および／または他の基地局からダウンリンク信号を受信し得、受信信号をそれぞれ復調器（ＤＥＭＯＤ）２５４ａ〜２５４ｒに与え得る。各復調器２５４は、それの受信信号を調整（たとえば、フィルタ処理、増幅、ダウンコンバート、およびデジタル化）して、入力サンプルを取得し得る。各復調器２５４はさらに、（たとえば、ＯＦＤＭなどのために）入力サンプルを処理して、受信シンボルを取得し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実行し、検出されたシンボルを与え得る。受信プロセッサ２５８は、検出されたシンボルを処理（たとえば、復調および復号）し、ＵＥ１２０のための復号されたデータをデータシンク２６０に与え、復号された制御信号およびシステム情報をコントローラ／プロセッサ２８０に与え得る。チャネルプロセッサは、ＲＳＲＰ、ＲＳＳＩ、ＲＳＲＱ、ＣＱＩなどを判断し得る。
【００１９】
[0024]アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備えるレポートのための）制御情報とを受信し、処理し得る。プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＳＣ−ＦＤＭ、ＯＦＤＭなどのために）変調器２５４ａ〜２５４ｒによってさらに処理され、基地局１１０に送信され得る。基地局１１０において、ＵＥ１２０および他のＵＥからのアップリンク信号は、アンテナ２３４によって受信され、復調器２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。プロセッサ２３８は、復号されたデータをデータシンク２３９に与え、復号された制御情報をコントローラ／プロセッサ２４０に与え得る。基地局１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００２０】
[0025]コントローラ／プロセッサ２４０および２８０は、それぞれ基地局１１０およびＵＥ１２０における動作を指示し得る。基地局１１０におけるプロセッサ２４０ならびに／あるいは他のプロセッサおよびモジュール、ならびに／あるいはＵＥ１２０におけるプロセッサ２８０ならびに／あるいは他のプロセッサおよびモジュールは、本明細書で説明する技法のためのプロセスを実行または指示し得る。メモリ２４２および２８２は、それぞれ基地局１１０およびＵＥ１２０のためのデータおよびプログラムコードを記憶し得る。スケジューラ２４６は、ダウンリンク上および／またはアップリンク上でのデータ送信のためにＵＥをスケジュールし得る。
【００２１】
[0026]以下でさらに詳細に説明するように、ＵＥ１２０にデータを送信するとき、基地局１１０は、データ割振りサイズに少なくとも部分的に基づいてバンドリングサイズを判断すること、および判断されたバンドリングサイズのバンドル連続リソースブロック中のデータをプリコーディングするように構成され得、ここにおいて、各バンドル中のリソースブロックは共通プリコーディング行列を用いてプリコーディングされる。すなわち、リソースブロック中のＵＥ−ＲＳなどの基準信号および／またはデータは、同じプリコーダを使用してプリコーディングされる。バンドルＲＢの各ＲＢ中のＵＥ−ＲＳのために使用される電力レベルも同じであり得る。
【００２２】
[0027]ＵＥ１２０は、基地局１１０から送信されたデータを復号するために、相補的処理を実行するように構成され得る。たとえば、ＵＥ１２０は、連続リソースブロック（ＲＢ）のバンドル中の基地局から送信された受信データのデータ割振りサイズに基づいてバンドリングサイズを判断することと、ここにおいて、各バンドル中のリソースブロック中の少なくとも１つの基準信号が共通プリコーディング行列を用いてプリコーディングされる、判断されたバンドリングサイズと、基地局から送信された１つまたは複数の基準信号（ＲＳ：reference signal）とに基づいて、少なくとも１つのプリコードチャネルを推定することと、推定されたプリコードチャネルを使用して、受信したバンドルを復号することとを行うように構成され得る。
【００２３】
[0028]図３に、ＬＴＥにおけるＦＤＤのための例示的なフレーム構造３００を示す。ダウンリンクおよびアップリンクの各々の送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。
【００２４】
[0029]ＬＴＥでは、ｅＮＢは、ｅＮＢによってサポートされるセルごとにシステム帯域幅の中心１．０８ＭＨｚにおいてダウンリンク上で１次同期信号（ＰＳＳ：primary synchronization signal）と２次同期信号（ＳＳＳ：secondary synchronization signal）とを送信し得る。ＰＳＳおよびＳＳＳは、図３に示すように、それぞれ、ノーマルサイクリックプレフィックスをもつ各無線フレームのサブフレーム０および５中のシンボル期間６および５中で送信され得る。ＰＳＳおよびＳＳＳは、セル探索および捕捉のためにＵＥによって使用され得る。ｅＮＢは、ｅＮＢによってサポートされるセルごとにシステム帯域幅にわたってセル固有基準信号（ＣＲＳ：cell-specific reference signal）を送信し得る。ＣＲＳは、各サブフレームのいくつかのシンボル期間中に送信され得、チャネル推定、チャネル品質測定、および／または他の機能を実行するためにＵＥによって使用され得る。ｅＮＢはまた、いくつかの無線フレームのスロット１中のシンボル期間０〜３中で物理ブロードキャストチャネル（ＰＢＣＨ：physical broadcast channel）を送信し得る。ＰＢＣＨは何らかのシステム情報を搬送し得る。ｅＮＢは、いくつかのサブフレームにおいて物理ダウンリンク共有チャネル（ＰＤＳＣＨ：physical downlink shared channel）上でシステム情報ブロック（ＳＩＢ：system information block）などの他のシステム情報を送信し得る。ｅＮＢは、サブフレームの第１のＢ個のシンボル期間内で、物理ダウンリンク制御チャネル（ＰＤＣＣＨ：physical downlink control channel）上で制御情報／データを送信し得、ここで、Ｂは各サブフレームについて構成可能であり得る。ｅＮＢは、各サブフレームの残りのシンボル期間内で、ＰＤＳＣＨ上でトラフィックデータおよび／または他のデータを送信し得る。
【００２５】
[0030]ＬＴＥ  Ｒｅｌ−８／９／１０では、ＰＤＣＣＨはサブフレームの最初のいくつかのシンボル中にあり得る。ＰＤＣＣＨは、システム帯域幅全体において完全に分散され得る。ＰＤＣＣＨはＰＤＳＣＨと時分割多重化され得る。効果的に、Ｒｅｌ−８／９／１０では、サブフレームは、制御領域とデータ領域とに分割され得る。
【００２６】
[0031]Ｒｅｌ−１１では、新しい制御（たとえば、拡張ＰＤＣＣＨ（ｅＰＤＣＣＨ：enhanced PDCCH））が導入され得る。サブフレーム中の最初のいくつかの制御シンボルを占有するレガシーＰＤＣＣＨとは異なり、ｅＰＤＣＣＨは、ＰＤＳＣＨと同様にデータ領域を占有し得る。ｅ−ＰＤＣＣＨは、制御チャネル容量を増加させるのを助け、周波数領域ＩＣＩＣをサポートし、制御チャネルリソースの空間再利用の改善を達成し、ビームフォーミングおよび／またはダイバーシティをサポートし、ニューキャリアタイプ上およびＭＢＳＦＮサブフレームにおいて動作し、レガシーＵＥと同じキャリア上に共存し得る。
【００２７】
[0032]図４に、本開示の一態様による、例示的なサブフレーム４００を示す。サブフレーム４００は、第１のスロット４０２と第２のスロット４０４とに分割され、ここにおいて、各スロットは、一般に、ノーマルサイクリックプレフィックス（ＣＰ：cyclic prefix）の場合、ＬＴＥでは７つのシンボルを備える。ＬＴＥにおける各サブフレームは１ｍｓにわたり、したがって、各スロットは０．５ｍｓの持続時間を有する。バックホールサブフレーム４００の最初の３つのシンボルは、物理制御フォーマットインジケータチャネル（ＰＣＦＩＣＨ：Physical Control Format Indicator Channel）、物理ＨＡＲＱインジケータチャネル（ＰＨＩＣＨ：Physical HARQ Indicator Channel）、およびＰＤＣＣＨのために使用され得る。図示のように、様々なｅＰＤＣＣＨ構造が、サブフレーム４００中で情報を搬送するために利用可能である。
【００２８】
[0033]ｅＰＤＣＣＨに関して、拡張制御チャネルの局所送信と分散送信の両方がサポートされ得る。少なくとも局所送信の場合、およびＣＲＳが拡張制御チャネルの復調のために使用されない分散送信の場合、拡張制御チャネルの復調は、拡張制御チャネルの送信のために使用される物理リソースブロック（ＰＲＢ）中で送信される復調基準信号（ＤＭＲＳ：demodulation reference signal）に基づき得る（たとえば、アンテナポート７〜１０が使用され得る）。ｅＰＤＣＣＨメッセージは、（たとえば、ＵＥについての処理要件の緩和を可能にするための）送信時間間隔（ＴＴＩ：transmission time interval）中で受信可能なトランスポートチャネル（ＴｒＣＨ）ビットの最大数に対する制限を伴って、第１のスロットと第２のスロットの両方にわたり得る（たとえば、ＦＤＭベースのｅ−ＰＤＣＣＨ）。ＰＲＢペア内のＰＤＳＣＨとｅＰＤＣＣＨとの多重化は許容されないことがある。ランク２  ＳＵ−ＭＩＭＯは、単一のブラインド復号試みの場合、サポートされ得ない。ＰＤＳＣＨ  ＤＭ−ＲＳと同じスクランブルシーケンス発生器がｅＰＤＣＣＨ  ＤＭ−ＲＳのために使用され得る。ポート７〜１０上のｅＰＤＣＣＨのためのＤＭＲＳのスクランブルシーケンス発生器は、次式によって初期化され得る。
【数１】
2015525524.tif 000003
【００２９】
仮想セルＩＤの使用
[0034]ＲＡＮ１（Ｒｅｌ−１１）における現在の合意の下で、ｅＰＤＣＣＨおよびＰＤＳＣＨダウンリンクチャネルなど、様々な送信とともに使用するための仮想セルＩＤ構成が確立されている。仮想セルＩＤは、概して、シーケンスを生成すること、セルがいくつのＣＲＳポートを有するか、どれが制御領域またはデータ領域のための開始シンボルであるかを示すこと、および仮想セルＩＤと他のセルプロパティとの間に何らかのリンクを与えることなど、様々な目的のために使用されるセルＩＤを指す。
【００３０】
[0035]仮想セルＩＤはまた、ＵＥ固有であるチャネル状態情報基準信号（ＣＳＩ−ＲＳ：channel state information reference signal）とともに使用され得る。場合によっては、これらの信号のすべてについて単一のセルＩＤを使用するのではなく、基地局（ｅＮＢ）は、ｅＰＤＣＣＨ、ＰＤＳＣＨ、およびＣＳＩ−ＲＳについて異なる仮想セルＩＤを使用し得る。
【００３１】
[0036]これらのチャネルに関連する仮想セルＩＤは、専用ＲＲＣシグナリングを使用してＵＥにシグナリングされる。ＰＤＳＣＨのための仮想セルＩＤの利用に関して、ＵＥにシグナリングされた仮想セルＩＤは、次いで、ＰＤＳＣＨ上での送信のために使用されるＤＭ−ＲＳシーケンスとスクランブリングシーケンスとを生成するために使用される。
【００３２】
[0037]上記の構成は、ＤＭ−ＲＳシーケンスが、仮想セルＩＤではなく実際の物理セルＩＤによって判断される、Ｒｅｌ−９／１０とは異なる。この構成の下で、ＤＭ−ＲＳのロケーションはセルＩＤに依存しないことがある。さらに、Ｒｅｌ−８では、ＤＭ−ＲＳシーケンスはＵＥ−ＩＤによって判断され得、ＤＭ−ＲＳのロケーションは物理セルＩＤの関数である。
【００３３】
[0038]（たとえば、ＲＡＮ１／Ｒｅｌ−１１における）いくつかの合意は、拡張ＰＤＣＣＨ（ｅＰＤＣＣＨ）リソース要素（ＲＥ）マッピングを必要とし得る。Ｒｅｌ−１１では、ｅＰＤＣＣＨは「データ」領域中で送信される。ＤＭ−ＲＳは復調／復号のために使用される。
【００３４】
[0039]ｅＰＤＣＣＨはＰＲＢの小部分のみを占有し得る。これは、ＰＤＳＣＨが常に全ＰＲＢを占有する、ＤＭ−ＲＳベースのＰＤＳＣＨ送信とは異なる。場合によっては、２つ以上のｅＰＤＣＣＨが単一のＰＲＢ中に多重化され得る。これらのｅＰＤＣＣＨの各々は別個のＵＥを対象とし得、各々は、異なるプリコーディングベクトル／行列を有し得る。この構成は、他のセル／ＴＰのためのどのＰＲＢ内にも大きい干渉変動を引き起こし得る。
【００３５】
[0040]ＤＭ−ＲＳの使用のためのいくつかのシステム（たとえば、ＬＴＥ  Ｒｅｌ−／９／１０構成）によれば、ｅＮＢは、ＰＤＳＣＨをＵＥに送信するときにＭＵ−ＭＩＭＯを使用し得る。しかしながら、そのような場合、ＵＥは、同じＰＲＢ内で多重化された他のＵＥがあるかどうかを示すシグナリングを受信しないことがある。
【００３６】
[0041]しかしながら、多重化のそのような知識は、（たとえば、雑音推定を改善すること、または干渉消去を可能にすることによって）ＵＥがそれ自体のＰＤＳＣＨの処理を向上させることを可能にし得る。可能なＤＭ−ＲＳシーケンスの知識が与えられれば、ＵＥは、受信したＰＲＢ内で多重化された（他のＵＥのための）追加の信号があるかどうかを判断するためにブラインド検出を実行し得る。これは、全ＰＲＢが１年全体に対応し、異なる月が異なるユーザのためのＰＤＳＣＨに対応する、１２か月カレンダーとのアナロジーを用いて理解され得る。
【００３７】
[0042]言い換えれば、そのようなブラインド検出は、（他のＵＥをターゲットにする送信のために使用される）ＤＭ−ＲＳシーケンスの知識（をＵＥが有すること）に依拠する。いくつかの利用可能なＤＭ−ＲＳシーケンスがあるが、（たとえば、限られた数の物理セルＩＤに対応する）未知のシーケンスセットのサイズは比較的小さいことがある。
【００３８】
[0043]同様に、いくつかのシステム（たとえば、ＬＴＥ  Ｒｅｌ−１１）では、ｅＰＤＣＣＨのためにＭＵ−ＭＩＭＯがサポートされ得る。しかしながら、他のＵＥのためのｅＰＤＣＣＨが同じＰＲＢ内で多重化されるかどうかが意図された、ｅＰＤＣＣＨ信号の存在に関する情報をＵＥにシグナリングするための現在のプランはない。他のＵＥ（のためのｅＰＤＣＣＨ）が単一のＰＲＢ内で多重化されるかどうかに関する知識は、（たとえば、雑音推定を改善すること、または干渉消去を可能にすることによって）ＵＥがそれ自体のｅＰＤＣＣＨの処理を向上させることを可能にし得る。
【００３９】
[0044]残念ながら、現在、同じＰＲＢ内で多重化された他のＵＥのためのダウンリンクチャネルがあるかどうかを判断するためのＵＥのための機構はないことがある。その結果、ＵＥは、このＰＲＢ中で使用されるＤＭ−ＲＳシーケンスを知らないか、または導出することが可能でないことがある。仮想セルＩＤによって判断されたＤＭ−ＲＳとともに、多数の仮想セルＩＤは、ｕｎｋｏｗｎ  ＤＭ−ＲＳシーケンスのセットを、単に、ブラインド復号が実際的であるにはあまりに大きくすることがある。これは、ＵＥがＰＤＳＣＨおよび／またはｅＰＤＣＣＨ復調および／または復号を実行するときに雑音推定不整合をもたらし得る。
【００４０】
[0045]ＵＥがＤＭ−ＲＳトーンのみを使用して雑音推定を判断する場合、大きい性能ペナルティがあり得る。これは、ＰＲＢ内のｅＰＤＣＣＨ送信（各々がＰＲＢの一部分のみを占有する）を多重化することによって引き起こされる干渉変動に起因し得る。この現象は、ＣＲＳベースのＰＤＳＣＨ送信とともに発生する部分ローディングと同様であり得る。
【００４１】
[0046]さらに、ＤＭ−ＲＳシーケンスの知識の欠如はまた、ＵＥが、それ自体のＰＤＳＣＨを処理するときに（他のセルまたは送信ポイントからの）ＰＤＳＣＨ干渉を消去することを妨げ得る。この状況は、ＰＤＳＣＨを正常に受信する可能性を低減し、システム容量を制限し得る。
【００４２】
仮想セルＩＤの例示的なシグナリング
[0047]本開示の態様は、利用可能な仮想セルＩＤの低減されたサブセットをＵＥにシグナリングするための技法を提供する。この低減されたサブセットは、ＵＥがブラインド検出を実行することを可能にし、それによって、単一のＰＲＢ内の複数のＵＥへの多重化された任意のタイプのダウンリンクチャネルの処理の向上を可能にし得る。これらのダウンリンクチャネルは、たとえば、ＰＤＳＣＨ、ＰＤＣＣＨ、ｅＰＤＣＣＨ、ＰＨＩＣＨ、および／またはＰＣＦＩＣＨを含み得る。
【００４３】
[0048]いくつかの態様によれば、各ＵＥが使用し得る仮想セルＩＤのセット（またはスーパーセット）が（たとえば、ブロードキャストシグナリングを介して）シグナリングされ得る。それは、所与のセル中の特定のＵＥだけでなく、同じまたはネイバーセル中の他のＵＥにとっても利用可能な仮想セルＩＤのセットを含み得るので、それはスーパーセットと見なされ得る。このスーパーセットの知識は、それが、すべての利用可能な仮想セルＩＤの比較的大きいリストよりもはるかに小さく、ＵＥが考慮しなければならないブラインド復号候補を対応して低減し得るので、有益であり得る。
【００４４】
[0049]場合によっては、仮想セルＩＤセットはチャネルのタイプごとに異なり得る。一例として、ｅＰＤＣＣＨのための仮想セルＩＤは、ＰＤＳＣＨのための仮想セルＩＤのサブセットであり得る。
【００４５】
[0050]仮想セルＩＤのスーパーセットがブロードキャストされる場合、ｅＮＢは、さらに、個々のＵＥのための仮想セルＩＤセットを構成するために専用ＲＲＣシグナリングを使用し得る。そのような仮想セルＩＤセットは、ブロードキャストされた仮想セルＩＤセットのサブセットであり得る。場合によっては、ＵＥのための仮想セルＩＤセットのサイズは、ある数Ｎに制限され得る。このサイズは、さらに、ＰＲＢ内のＤＭ−ＲＳ識別の改善を可能にするために、ＵＥにシグナリングされるか、またはＵＥによって確認され得る。
【００４６】
[0051]一致いくつかの態様では、仮想セルＩＤのセットは物理セルＩＤの関数として導出され得る。したがって、物理セルＩＤを知ることによって、ＵＥは、たとえば、固定または動的マッピング、あるいは何らかの他のタイプの関数を介して、他のＵＥが使用するために利用可能であるとＵＥが仮定することができる仮想セルＩＤのセットを導出することが可能になり得る。この場合、特定のＵＥがそれ自体のダウンリンク送信（たとえば、ｅＰＤＣＣＨおよび／またはＰＤＳＣＨ）を復号するために使用することができる仮想セルＩＤセットをシグナリングするために、専用シグナリング（たとえば、ＲＲＣ）が使用され得る。
【００４７】
[0052]いくつかの態様によれば、同じセルおよび／または他のセル中の他のＵＥによって潜在的に使用される仮想セルＩＤのセットを各ＵＥに通知するために、専用シグナリングが行われ得る。場合によっては、そのようなシグナリングは、この情報を使用することができるＵＥのサブセット（たとえば、セル範囲拡張ＵＥ、ＭＵ−ＭＩＭＯを介して潜在的に通信されるＵＥなど）のみに行われ得る。この手法の効率はシステム中のＵＥの数に依存し得る。たとえば、ほんのいくつかのＵＥしかない場合、専用シグナリングはブロードキャストシグナリングよりも効率的であり得る。
【００４８】
[0053]いくつかの態様によれば、ＵＥは、セル中で仮想セルＩＤの使用が可能にされるか否かを示すシグナリングを行い得る。言い換えれば、仮想セルＩＤが使用されるか否かはセルごとに判断され得る。
【００４９】
[0054]このシグナリングは、専用またはブロードキャストであり得、上記で説明した仮想セルＩＤシグナリングのための技法のいずれかとともに使用され得る。仮想セルＩＤが可能にされない場合、同じＩＤ（たとえば、物理セルＩＤまたはＰＣＩ）がｅＰＤＣＣＨおよび／またはＰＤＳＣＨのために使用され得る。仮想セルＩＤが可能にされる場合、仮想セルＩＤのセットが、使用されるｅＰＤＣＣＨおよび／またはＰＤＳＣＨであり得る。
【００５０】
[0055]上記で説明した手法の追加または代替として、ＵＥは、１つまたは複数の近隣セルのための仮想セルＩＤのセットを示すシグナリングを受信し得る。場合によっては、そのような情報は専用シグナリングを介して通信され得る。代替として、ＵＥはまた、（たとえば、上記で説明したように）情報がブロードキャストされる場合、１つまたは複数の近隣セルの仮想セルＩＤの検出セットであり得る。
【００５１】
[0056]図５に、本開示の態様による、ＵＥによって実行され得る例示的な動作５００を示す。動作５００は、５０２において、ＵＥが、１つまたは複数の他のＵＥが使用するために利用可能な仮想セルＩＤのサブセットを判断すること、サブセットが仮想セルＩＤのより大きいセットから選択される、から開始する。５０４において、ＵＥは、他のＵＥを対象とする物理リソースブロック（ＰＲＢ）内の送信を検出するために、ブラインド検出またはブラインド復号のうちの少なくとも１つを実行するために仮想セルＩＤのサブセットを使用する。５０６において、ＵＥは、ＰＲＢ中でＵＥに送信された少なくとも１つのダウンリンクチャネルの処理を向上させるためにブラインド検出またはブラインド復号の結果を使用する。
【００５２】
[0057]図６に、本開示の態様による、例示的な基地局動作を示す。６０２において、基地局は、１つまたは複数のＵＥが使用するために利用可能な仮想セルＩＤのサブセットをシグナリングし、サブセットは仮想セルＩＤのより大きいセットから選択される。６０４において、基地局は、サブセットから選択された仮想セルＩＤを用いて１つまたは複数の個々のＵＥを構成する。６０６において、基地局は、選択された仮想ＩＤを使用して、同じＰＲＢ中の複数の使用のためのダウンリンクチャネルを多重化する。場合によっては、仮想セルＩＤに関する情報を他の基地局と交換すること、および交換された情報に基づいて仮想セルＩＤの使用を調整すること。
【００５３】
[0058]上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、任意の好適な対応するカウンターパートのミーンズプラスファンクション構成要素によって実行され得る。
【００５４】
[0059]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００５５】
[0060]さらに、本明細書の開示に関して説明した様々な例示的な論理ブロック、モジュール、回路、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【００５６】
[0061]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００５７】
[0062]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００５８】
[0063]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００５９】
[0064]本開示についての以上の説明は、当業者が本開示を作成または使用することができるようにするために提供したものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2015525524.tif 000004
【図２】
2015525524.tif 000005
【図３】
2015525524.tif 000006
【図４】
2015525524.tif 000007
【図５】
2015525524.tif 000008
【図６】
2015525524.tif 000009
【国際調査報告】
2015525524.tif 000010
2015525524.tif 000011
2015525524.tif 000012
2015525524.tif 000013
2015525524.tif 000014
2015525524.tif 000015